(57)【要約】      （修正有）【課題】製本時の化粧断ちを不要とし、本体のみで、製本の仕上がりを想定した画像データの配置およびページ順の印刷を行うことができる熱転写プリンタ装置を提供する。【解決手段】熱転写プリンタ装置１２は、画像データを読み込む画像入力部２と、読み込まれた画像データの中から印刷を行う画像データと、製本の仕上がりタイプとを操作入力に応じて選択する表示選択部４と、印刷用紙に印刷を行う印刷部であるインクシート駆動部８、用紙搬送部９、センサー１１およびサーマルヘッド６と、選択された製本の仕上がりタイプとページの順番に対応する、画像データの配置位置および印刷サイズを決定し、決定した画像データの配置位置および印刷サイズに従って画像データを印刷用紙に印刷を行わせるようにインクシート駆動部８、用紙搬送部９、センサー１１およびサーマルヘッド６を制御する制御部１とを備えている。【選択図】図１
2016215408.tif 000002
【特許請求の範囲】
【請求項１】
画像データを読み込む画像入力部と、
読み込まれた前記画像データの中から印刷を行う画像データと、製本の仕上がりタイプとを操作入力に応じて選択する選択部と、
用紙に印刷を行う印刷部と、
選択された前記製本の仕上がりタイプとページの順番に対応する、前記画像データの配置位置および印刷サイズを決定し、決定した前記画像データの前記配置位置および前記印刷サイズに従って当該画像データを前記用紙に印刷を行わせるように前記印刷部を制御する制御部と、
を備える、熱転写プリンタ装置。
【請求項２】
前記制御部は、前記印刷サイズを前記用紙の種類に応じて決定する、請求項１記載の熱転写プリンタ装置。
【請求項３】
前記制御部は、選択された前記画像データが１枚の前記用紙に収まるように前記配置位置を決定し、当該画像データを１枚の前記用紙に印刷させる、請求項１記載の熱転写プリンタ装置。
【請求項４】
画像データを用紙に印刷する熱転写プリンタ装置の印刷方法であって、
（ａ）前記熱転写プリンタ装置に画像データを読み込む工程と、
（ｂ）前記熱転写プリンタ装置上で読み込まれた前記画像データの中から印刷を行う画像データと、製本の仕上がりタイプとを選択する工程と、
（ｃ）前記熱転写プリンタ装置上で選択された前記製本の仕上がりタイプとページの順番に対応する、前記画像データの配置位置および印刷サイズを決定し、決定した前記画像データの前記配置位置および前記印刷サイズに従って当該画像データを前記用紙に印刷を行わせるように制御する工程と、
を備える、熱転写プリンタ装置の印刷方法。
【請求項５】
前記工程（ｃ）では、前記印刷サイズを前記用紙の種類に応じて決定する、請求項４記載の熱転写プリンタ装置の印刷方法。
【請求項６】
前記工程（ｃ）では、選択された前記画像データが１枚の前記用紙に収まるように前記配置位置を決定し、当該画像データを１枚の前記用紙に印刷させる、請求項４記載の熱転写プリンタ装置の印刷方法。
【発明の詳細な説明】
【技術分野】
【０００１】
本発明は、フォトブック等の製本用の印刷を行う熱転写プリンタ装置およびその印刷方法に関するものである。
【背景技術】
【０００２】
従来の熱転写プリンタ装置においては、熱転写プリンタ装置の外部に制御手段を設け、制御手段を利用して製本の仕上がり結果を踏まえて、表面と裏面の印刷データと印刷ページの順番を決定して印刷を行っている（例えば、特許文献１参照）。
【先行技術文献】
【特許文献】
【０００３】
【特許文献１】特開２０１０−２２１６６６号公報
【発明の概要】
【発明が解決しようとする課題】
【０００４】
特許文献１に記載の熱転写プリンタ装置では、外部の制御手段（例えば、パーソナルコンピュータ。以下「パソコン」という）が印刷する順番を決定して画像を配置し、印刷ページの順番に熱転写プリンタ装置の印刷を制御し、所望の順番、つまり、製本の仕上がりを想定したページ順の印刷を行う。そのため、全体の装置は複雑になり、設置および装置間を接続するなど煩雑で、設備コストが高くなるという問題があった。
【０００５】
また、画像データを記憶したメモリーカードなどから画像データを直接取り込むことができる熱転写プリンタ装置であっても、いったんパソコンに取り込んでから順番に並べる必要があり、パソコンの介在なく直接熱転写プリンタ装置に画像データを取り込んで製本順に印刷することができなかった。
【０００６】
さらに、特許文献１に記載の熱転写プリンタ装置では、印刷のサイズは、規定の大きさ（例えば、Ｌサイズ、はがきサイズ、および２Ｌサイズ等）に限られるため、印刷した用紙を製本しフォトブックとして仕上げるためには、印刷した用紙を製本した後、所望のサイズに切断（化粧断ち）する必要があった。
【０００７】
そこで、本発明は、製本時の化粧断ちを不要とし、熱転写プリンタ装置のみで、製本の仕上がりを想定した画像データの配置およびページ順の印刷を行うことができる技術を提供することを目的とする。
【課題を解決するための手段】
【０００８】
本発明に係る熱転写プリンタ装置は、画像データを読み込む画像入力部と、読み込まれた前記画像データの中から印刷を行う画像データと、製本の仕上がりタイプとを操作入力に応じて選択する選択部と、用紙に印刷を行う印刷部と、選択された前記製本の仕上がりタイプとページの順番に対応する、前記画像データの配置位置および印刷サイズを決定し、決定した前記画像データの前記配置位置および前記印刷サイズに従って当該画像データを前記用紙に印刷を行わせるように前記印刷部を制御する制御部とを備えるものである。
【０００９】
本発明に係る熱転写プリンタ装置の印刷方法は、画像データを用紙に印刷する熱転写プリンタ装置の印刷方法であって、前記熱転写プリンタ装置に画像データを読み込む工程（ａ）と、前記熱転写プリンタ装置上で読み込まれた前記画像データの中から印刷を行う画像データと、製本の仕上がりタイプとを選択する工程（ｂ）と、前記熱転写プリンタ装置上で選択された前記製本の仕上がりタイプとページの順番に対応する、前記画像データの配置位置および印刷サイズを決定し、決定した前記画像データの前記配置位置および前記印刷サイズに従って当該画像データを前記用紙に印刷を行わせるように制御する工程（ｃ）とを備えるものである。
【発明の効果】
【００１０】
本発明によれば、熱転写プリンタ装置は、画像データを読み込む画像入力部と、読み込まれた画像データの中から印刷を行う画像データと、製本の仕上がりタイプとを操作入力に応じて選択する選択部と、用紙に印刷を行う印刷部と、選択された製本の仕上がりタイプとページの順番に対応する、画像データの配置位置および印刷サイズを決定し、決定した画像データの配置位置および印刷サイズに従って当該画像データを用紙に印刷を行わせるように印刷部を制御する制御部とを備える。
【００１１】
したがって、熱転写プリンタ装置のみで、製本の仕上がりを想定した画像データの配置およびページ順の印刷を行うことができる。また、選択された製本の仕上がりタイプに対応する印刷サイズで印刷を行うため、製本時の化粧断ちが不要となる。
【図面の簡単な説明】
【００１２】
【図１】実施の形態に係る熱転写プリンタ装置のブロック図である。
【図２】製本タイプ選択画面の一例を示す図である。
【図３】画像データ選択画面の一例を示す図である。
【図４】製本タイプａでの印刷後のページレイアウトを説明するための図である。
【図５】製本タイプａの製本用に印刷した用紙のサイズを示す図である。
【図６】製本タイプａの製本をしたときの用紙のサイズを示す図である。
【図７】製本タイプａの製本をするための用紙の重ね方を示す図である。
【図８】前提技術に係るプリンタ装置で製本タイプａの製本をしたときの用紙のサイズを示す図である。
【図９】製本タイプｂでの印刷後のページレイアウトを説明するための図である。
【図１０】製本タイプｂの製本用に印刷した用紙のサイズを示す図である。
【図１１】製本タイプｂの製本をしたときの用紙のサイズを示す図である。
【図１２】前提技術に係るプリンタ装置で製本タイプｂの製本をしたときの用紙のサイズを示す図である。
【図１３】製本タイプｃでの印刷後のページレイアウトを説明するための図である。
【図１４】製本タイプｃの製本をしたときの用紙のサイズを示す図である。
【図１５】製本タイプｄでの印刷後のページレイアウトを説明するための図である。
【図１６】製本タイプｄの製本をしたときの用紙のサイズを示す図である。
【図１７】印刷処理を示すフローチャートの一部である。
【図１８】印刷処理を示すフローチャートの残部である。
【発明を実施するための形態】
【００１３】
＜実施の形態＞
本発明の実施の形態について、図面を用いて以下に説明する。図１は、実施の形態に係る熱転写プリンタ装置１２のブロック図である。
【００１４】
熱転写プリンタ装置１２は、制御部１、画像入力部２、データ取り込み用メモリー３、表示選択部４（選択部）、印刷画像用メモリー５、サーマルヘッド６、およびメカ部７を備えている。制御部１は、熱転写プリンタ装置１２全体、すなわち、画像データの読み込み、印刷順および用紙長（印刷サイズ）の決定、画像データのレイアウト（配置位置）の決定、およびメカ部７の制御などの制御を行う。
【００１５】
画像入力部２は、画像記憶媒体１３に記憶された画像データを読み込む。読み込まれた画像データは、データ取り込み用メモリー３に取り込まれる。ここで、画像記憶媒体１３は、例えばメモリーカードなどであり、画像入力部２は、例えばカードリーダーなどである。表示選択部４は、データ取り込み用メモリー３に取り込まれた画像データの中から印刷を行う画像データ、および製本の仕上がりタイプを、ユーザーの操作入力に応じて選択する。ここで、表示選択部４は、例えばタッチパネルなどである。なお、表示選択部４は、例えば画像データを表示するディスプレイと、選択部である入力キーとで別々に構成されていてもよい。
【００１６】
制御部１は、選択された製本の仕上がりタイプとページの順番に対応する、画像データの配置位置および印刷サイズを決定する。より具体的には、制御部１は、製本の仕上がりタイプに対応させて１回で印刷を行えるように画像データの配置位置を決定し、決定した画像データの配置位置で並べたデータを印刷用画像データとして印刷画像用メモリー５に記憶させる。ここで、制御部１は、例えばマイクロプロセッサなどであり、データ取り込み用メモリー３および印刷画像用メモリー５は、例えばＲＡＭなどの半導体メモリーである。
【００１７】
メカ部７は、インクシート駆動部８、用紙搬送部９、カッター１０およびセンサー１１を備えている。制御部１は、インクシート駆動部８、用紙搬送部９およびセンサー１１によってインクシートと印刷用紙を駆動するように制御し、サーマルヘッド６で加熱して印刷画像用メモリー５に記憶された印刷用画像データを印刷用紙に熱転写するように制御する。このように、制御部１がインクシート駆動部８、用紙搬送部９、センサー１１およびサーマルヘッド６を制御することで印刷用紙の両面に印刷が行われる。なお、インクシート駆動部８、用紙搬送部９、センサー１１およびサーマルヘッド６が印刷用紙に印刷を行う印刷部に相当する。印刷用紙への印刷が終了すると、制御部１は、カットするサイズ分の印刷用紙を用紙搬送部９で送った後カッター１０で切断し、印刷用紙を排紙させるように制御する。
【００１８】
次に、図面を用いて具体的な印刷処理について説明する。図２は、製本タイプ選択画面の一例を示す図であり、図３は、画像データ選択画面の一例を示す図である。図４は、製本タイプａでの印刷後のページレイアウトを説明するための図であり、図５は、製本タイプａの製本用に印刷した印刷用紙のサイズを示す図であり、図６は、製本タイプａの製本をしたときの印刷用紙のサイズを示す図であり、図７は、製本タイプａの製本をするための印刷用紙の重ね方を示す図である。
【００１９】
図２に示すように、作業者は表示選択部４で製本の仕上がりタイプを選択する。図２は、４種類の製本の仕上がりタイプを例示しており、例えばタイプａを選択した場合の例である。次に、作業者は、同じく表示選択部４で画像データを選択する。表示選択部４では画面に表示された画像データの中から、どの画像データを使用して印刷を行い、フォトブックとして画像データをどのような順番に並べるかを選択する。
【００２０】
図３は、１６個の画像データを表示した状態を示す例であり、選択した画像データのプレビュー表示の明るさが変化し、選択された状態を示す。また、図３では、作業者は、画像データＡを最初のページとして選択したため最初のページであることを示す１が表示され、順次１２個の画像データを選択し、最後の１２個目に画像Ｐを選んだ状態を示す例である。選択された１２個の画像データは、Ａ，Ｂ，Ｃ，Ｄ，Ｅ，Ｆ，Ｇ，Ｈ，Ｊ，Ｌ，Ｍ，Ｐのページ順となるよう印刷され、最終的に製本される。
【００２１】
図４は、各ページの印刷用紙への画像データの配置位置と印刷サイズを示している。この例では、全３ページを印刷した後、この図で示す順番に画像データが配置されていれば、所望の製本の仕上がりタイプのフォトブックとすることが容易である。制御部１は、表示選択部４にて選択された画像データの順番に基づいて、選択した製本の仕上がりタイプのフォトブックとして製本することができるように、画像データの配置位置を決定し、決定した画像データの配置位置で並べたデータを印刷用画像データとする。
【００２２】
具体的には、１番外側になる１枚目の印刷用紙４１の表面に印刷される画像データはＰとＡであり、制御部１は、式（１）を用いてＷａ１を計算し、ＰとＡの画像データを、Ｗａ１分の間隔をあけてレイアウトする。制御部１は、裏面印刷時にも同じ間隔をあけてＢとＭの画像データをレイアウトし、表面および裏面の印刷が終了したとき、式（２）で計算したＬａ１となるようにカッター１０で印刷用紙４１をカットさせる。
【００２３】
【数１】
2016215408.tif 000003
【００２４】
但し、Ｗａ（ｎ）：折り曲げ部分の幅、Ｔ０：用紙厚、Ｋ１：折曲厚補正量、Ｎ：冊子総枚数、ｎ：冊子の枚目、Ｋ２：冊子重ね厚補正量とする。
【００２５】
【数２】
2016215408.tif 000004
【００２６】
但し、Ｌａ（ｎ）：用紙総印刷（カット）長、Ｌａ０：印刷基本用紙サイズ長とする。
【００２７】
制御部１は、２枚目の印刷用紙４２、３枚目の印刷用紙４３も同じように式（１）と式（２）を用いてＷａ２，Ｗａ３と、Ｌａ２，Ｌａ３を計算し、合計３枚を印刷しカットするように制御する。図５に示すように、外側になる印刷用紙４１の用紙総印刷長（以下、「用紙長」ともいう）が内側になる印刷用紙４２，４３の用紙長よりも長くなり、一番内側になる印刷用紙４３の用紙長が一番短くなる。この状態で真ん中を折って製本すると、図６に示すように化粧断ちしなくても長さの揃ったフォトブックを得ることができる。
【００２８】
図７に示すように、それぞれの印刷用紙４１，４２，４３の表面が外側になるように折れば簡単に製本が可能となる。図８は、前提技術に係るプリンタ装置で製本タイプａの製本をしたときの用紙のサイズを示す図である。図８に示すように、前提技術では、製本の仕上がりタイプとページの順番に対応した印刷サイズで印刷されていない。換言すると、ページの順番に関わらず全て同じ印刷サイズで印刷されている。このように、前提技術では、製本したときの寸法を考慮していないため、製本の作成過程で印刷用紙８１，８２，８３の長さが揃うように、カット（化粧断ち）する必要がある。
【００２９】
次に、製本タイプｂの場合について説明する。図９は、製本タイプｂでの印刷後のページレイアウトを説明するための図であり、図１０は、製本タイプｂの製本用に印刷した印刷用紙のサイズを示す図であり、図１１は、製本タイプｂの製本をしたときの印刷用紙のサイズを示す図である。
【００３０】
図９は、製本の仕上がりタイプでタイプｂが選択され、タイプａと同様の１２個の画像データを同じページ順で選択した場合の印刷用紙への画像データの配置位置を示している。タイプａと同じく全３枚の印刷用紙９１，９２，９３で１２個の画像データを掲載したフォトブックを作成することができる。
【００３１】
制御部１は、選択された製本の仕上がりタイプに従って画像データの配置位置を決定する。１番外側になる１枚目の印刷用紙９１の表面に印刷される画像データはＰとＡであり、制御部１は、式（３）を用いてＷｂ１を計算し、ＰとＡの画像データを、Ｗｂ１分の間隔をあけてレイアウトする。制御部１は、裏面印刷時にも同じ間隔をあけてＢとＭの画像データをレイアウトし、表面および裏面の印刷が終了したとき、式（５）で計算したＬｂ１となるように印刷用紙９１をカッター１０でカットさせる。２枚目以降はすべて同じ計算式で計算される。２枚目の印刷用紙９２の表面はＬとＣの画像データが配置されるが、Ｗｂ２は式（４）で計算された値であり、３枚目以降もＷｂ２と同じ値となる。
【００３２】
【数３】
2016215408.tif 000005
【００３３】
但し、Ｗｂ（ｎ）：折り曲げ部分の幅、Ｔ０：用紙厚、Ｋ１：折曲厚補正量、Ｎ：冊子総枚数、ｎ：冊子の枚目、Ｋ２：冊子重ね厚補正量とする。
【００３４】
【数４】
2016215408.tif 000006
【００３５】
但し、ｎ＝２，３，４・・・とする。
【００３６】
【数５】
2016215408.tif 000007
【００３７】
但し、Ｌｂ（ｎ）：用紙総印刷（カット）長、Ｌｂ０：印刷基本用紙サイズ長とする。
【００３８】
また、Ｌｂ２は式（６）で計算された値であり、３枚目以降もＬｂ２と同じ値となる。図１０に示すように、１枚目の印刷用紙の用紙長のみ長さが異なることがわかる。より具体的には、１枚目の印刷用紙の用紙長が２枚目および３枚目の印刷用紙の用紙長よりも短い。
【００３９】
【数６】
2016215408.tif 000008
【００４０】
但し、ｎ＝２，３，４・・・とする。
【００４１】
製本するためには１枚目の印刷用紙９１を一番外側として、２枚目以降の印刷用紙９２，９３は重ねずそれぞれを真ん中で折り、１枚目の印刷用紙９１の内側に挿入すると図１１に示すような製本となる。図１２は、前提技術に係るプリンタ装置で製本タイプｂの製本をしたときの印刷用紙のサイズを示す図である。図１２に示すように、前提技術では、製本の仕上がりタイプとページの順番に対応した印刷サイズで印刷されていない。換言すると、ページの順番に関わらず全て同じ印刷サイズで印刷されている。このように、前提技術では、製本したときの寸法を考慮していないため、製本の作成過程で印刷用紙１２１，１２２，１２３の長さが揃うように、カット（化粧断ち）する必要がある。
【００４２】
次に、製本タイプｃの場合について説明する。図１３は、製本タイプｃでの印刷後のページレイアウトを説明するための図であり、図１４は、製本タイプｃの製本をしたときの印刷用紙のサイズを示す図である。
【００４３】
図１３は、製本の仕上がりタイプでタイプｃが選択され、タイプａと同様の１２個の画像データを同じページ順で選択した場合の印刷用紙への画像データの配置位置を示している。ＡとＰの間で折って、ＡとＢの間を山折り、ＢとＣの間を谷折り、ＣとＤの間を山折り、ＤとＥの間を谷折りすると図１４に示すような製本となる。ここで、山折りは外側に折ることをいい、谷折りは内側に折ることをいうものとする。
【００４４】
図１４に示すように、タイプａ，ｂとは異なる製本状態となるため、表紙は最初の１ページ目のＡ、裏表紙は最後の１２ページ目のＰとなるが、その他の中のページ順は折りたたんだときの外側（表面）から内側（裏面）となる。タイプｃは１枚の印刷用紙１３１で作成される。なお、図１３と図１４においては、Ｐが印刷されるページを１３１ｐ、Ａが印刷されるページを１３１ａ、Ｅが印刷されるページを１３１ｅ、Ｆが印刷されるページを１３１ｆとする。
【００４５】
制御部１は、式（７）を用いて表紙Ａと裏表紙Ｐの間隔Ｗｃ１を計算し、同様にＰの裏側のＭと、Ａの裏側のＬとの間隔もＷｃ１を採用し、表面のＰを印刷して、Ｗｃ１の間隔をあけてＡを印刷し、その後の間隔は空けず表面に印刷される画像データを全て印刷するように制御する。このように、制御部１は、印刷用紙のカットを繰り返すことなく、６個の画像データを連続して印刷し、表面の印刷が終了すると、次に裏面を６回、ＬとＭの間だけＷｃ１の間隔をあけて印刷する。制御部１は、両面の印刷が終わった後、式（８）を用いてＬｃ１を計算し、Ｌｃ１の長さを送って印刷用紙をカットする。表面を外側になるように折りたためば図１４に示すようなフォトブックが作成される。
【００４６】
【数７】
2016215408.tif 000009
【００４７】
但し、Ｗｃ１：折り曲げ部分の幅、Ｔ０：用紙厚、Ｋ１：折曲厚補正量、Ｎ：冊子総枚数、Ｋ２：冊子重ね厚補正量とする。
【００４８】
【数８】
2016215408.tif 000010
【００４９】
但し、Ｌｃ１：用紙総印刷（カット）長、Ｌｃ０：印刷基本用紙サイズ長とする。
【００５０】
次に、製本タイプｄの場合について説明する。図１５は、製本タイプｄでの印刷後のページレイアウトを説明するための図であり、図１６は、製本タイプｄの製本をしたときの印刷用紙１４１のサイズを示す図である。
【００５１】
図１５は、製本の仕上がりタイプでタイプｄが選択され、タイプａと同様の１２個の画像データを同じページ順で選択した場合の印刷用紙１４１への画像データの配置位置を示している。
【００５２】
ＡとＰの間で折って、ＡとＢの間を山折り、ＢとＣの間を谷折り、ＰとＭの間を山折り、ＭとＬの間を谷折りすると図１６に示すような製本となる。図１６に示すように、タイプｄも１枚の印刷用紙１４１で作成される。表紙は最初の１ページ目のＡ、裏表紙は最後の１２ページ目のＰとなるが、その他の中のページ順は、折りたたんだときの外側（表面）から、印刷用紙１４１の一方の先端で内側（裏面）となり、印刷用紙１４１の他方の先端で外側（表面）となる。なお、図１５と図１６においては、Ｌが印刷されるページを１４１ｌ、Ｐが印刷されるページを１４１ｐ、Ａが印刷されるページを１４１ａ、Ｄが印刷されるページを１４１ｄとする。
【００５３】
制御部１は、式（９）を用いて表紙Ａと裏表紙Ｐの間隔Ｗｄ１を計算し、同様にＰの裏側のＧと、Ａの裏側のＦとの間隔もＷｄ１を採用し、表面のＬから順次印刷し、裏表紙Ｐの印刷の後はＷｄ１の間隔をあけて表紙Ａを印刷し、Ｃまで合計６個の画像データの印刷が終了すると表面の印刷を終了する。制御部１は、次に裏面を６回、ＦとＧの間だけＷｄ１の間隔をあけて印刷して、両面印刷の終了後、Ｌｄ１の長さを送って印刷用紙１４１をカッター１０でカットする。表面を外側になるように折りたためば図１６に示すようなフォトブックが作成される。
【００５４】
【数９】
2016215408.tif 000011
【００５５】
但し、Ｗｄ１：折り曲げ部分の幅、Ｔ０：用紙厚、Ｋ１：折曲厚補正量、Ｎ：冊子総枚数、Ｋ２：冊子重ね厚補正量とする。
【００５６】
【数１０】
2016215408.tif 000012
【００５７】
但し、Ｌｄ１：用紙総印刷（カット）長、Ｌｄ０：印刷基本用紙サイズ長とする。
【００５８】
次に、図１７と図１８のフローチャートを用いて印刷処理を説明する。図１７は、印刷処理を示すフローチャートの一部であり、図１８は、印刷処理を示すフローチャートの残部である。
【００５９】
熱転写プリンタ装置１２の電源がオンされたとき、製本処理が開始される。表示選択部４に図２に示す画像が表示され、作業者は表示選択部４を操作して製本タイプ（製本の仕上がりタイプ）を選択し（ステップＳ１）、ページ数を決定（選択）すると（ステップＳ２）、表示選択部４に図３に示す画面が表示される。作業者は表示選択部４を操作して、ページ数分の画像データを選択すると（ステップＳ３）、ステップＳ１で選択した製本タイプにあわせた印刷処理が開始される。
【００６０】
製本タイプがａまたはｂの場合（ステップＳ４においてＹＥＳ）、制御部１は、ページ数に基づいて印刷枚数を計算し（ステップＳ５）、ｎ枚目の表面画像データ（表面に印刷される画像データ）を配置する（ステップＳ６）。より具体的には、制御部１は、ｎ枚目の表面画像データの配置位置を計算し、この配置位置で並べたデータを印刷用画像データとして印刷画像用メモリー５に記憶させる。制御部１は、インクシート駆動部８、用紙搬送部９、センサー１１およびサーマルヘッド６を制御してｎ枚目の表面を印刷する（ステップＳ７）。
【００６１】
制御部１は、ｎ枚目の裏面画像データ（裏面に印刷される画像データ）を配置する（ステップＳ８）。より具体的には、制御部１は、ｎ枚目の裏面画像データの配置位置を計算し、この配置位置で並べたデータを印刷用画像データとして印刷画像用メモリー５に記憶させる。制御部１は、インクシート駆動部８、用紙搬送部９、センサー１１およびサーマルヘッド６を制御してｎ枚目の裏面を印刷する（ステップＳ９）。
【００６２】
次に、制御部１は、ｎ枚目の用紙長を計算し（ステップＳ１０）、用紙搬送部９を制御して計算した用紙長だけ印刷用紙を送り、カッター１０を制御してｎ枚目の印刷用紙をカットする（ステップＳ１１）。制御部１は、全用紙を印刷した場合（ステップＳ１２においてＹＥＳ）、印刷処理を終了する。他方、制御部１は、まだ全用紙を印刷していない場合は（ステップＳ１２においてＮＯ）、処理をステップＳ６へ戻す。
【００６３】
製本タイプがｃまたはｄの場合（ステップＳ４においてＮＯ）、制御部１は、印刷用紙の表面の印刷順（画像データの配置位置）を決定する（ステップＳ１３）。より具体的には、制御部１は、表面に印刷される画像データの配置位置を計算し、この配置位置で並べたデータを印刷用画像データとして印刷画像用メモリー５に記憶させる。制御部１は、インクシート駆動部８、用紙搬送部９、センサー１１およびサーマルヘッド６を制御して印刷用紙の表面に対してｎ回目の印刷を行う（ステップＳ１４）。
【００６４】
制御部１は、印刷用紙の表面に印刷される画像データを全て印刷した場合（ステップＳ１５においてＹＥＳ）、印刷用紙の裏面の印刷順（画像データの配置位置）を決定する（ステップＳ１６）。より具体的には、制御部１は、裏面に印刷される画像データの配置位置を計算し、この配置位置で並べたデータを印刷用画像データとして印刷画像用メモリー５に記憶させる。他方、制御部１は、印刷用紙の表面に印刷される画像データを全て印刷していない場合は（ステップＳ１５においてＮＯ）、処理をステップＳ１４へ戻す。
【００６５】
制御部１は、インクシート駆動部８、用紙搬送部９、センサー１１およびサーマルヘッド６を制御して印刷用紙の裏面に対してｎ回目の印刷を行う（ステップＳ１７）。制御部１は、印刷用紙の裏面に印刷される画像データを全て印刷した場合（ステップＳ１８においてＹＥＳ）、用紙長を計算し（ステップＳ１９）、用紙搬送部９を制御して計算した用紙長だけ印刷用紙を送り、カッター１０を制御して印刷用紙をカットした後（ステップＳ２０）、印刷処理を終了する。他方、制御部１は、印刷用紙の裏面に印刷される画像データを全て印刷していない場合は（ステップＳ１８においてＮＯ）、処理をステップＳ１７へ戻す。
【００６６】
なお、上記では両面印刷の場合を説明したが、片面印刷の場合でも、印刷を行っていない面（例えば裏面）同士を貼り合わせることで、両面印刷の場合と同様に、どの仕上がりタイプでも製本を考慮した印刷を行うことができる。
【００６７】
以上のように、実施の形態に係る熱転写プリンタ装置１２は、画像データを読み込む画像入力部２と、読み込まれた画像データの中から印刷を行う画像データと、製本の仕上がりタイプとを操作入力に応じて選択する表示選択部４と、印刷用紙に印刷を行うインクシート駆動部８、用紙搬送部９、センサー１１およびサーマルヘッド６と、選択された製本の仕上がりタイプとページの順番に対応する、画像データの配置位置および印刷サイズを決定し、決定した画像データの配置位置および印刷サイズに従って当該画像データを印刷用紙に印刷を行わせるようにサーマルヘッド６およびメカ部７を制御する制御部１とを備える。
【００６８】
したがって、熱転写プリンタ装置１２のみで、製本の仕上がりを想定した画像データの配置およびページ順の印刷を行うことができる。また、選択された製本の仕上がりタイプに対応する印刷サイズで印刷を行うため、製本時の化粧断ちが不要となる。また、制御部としてパソコンを別途備える必要がないため、熱転写プリンタ装置１２の小型化を図ることができる。
【００６９】
さらに、熱転写プリンタ装置１２のみで印刷を行うことができるため、全体の構成が簡単になり、熱転写プリンタ装置１２の設置が容易になることから、設備コストを低減させることができる。
【００７０】
印刷用紙の種類により厚みが異なるが、制御部１は、用紙厚Ｔ０を考慮した折り曲げ部分の幅および用紙長を計算している。このように、制御部１は、印刷サイズを印刷用紙の種類に応じて決定するため、印刷用紙の厚みなどの要因も加味した印刷サイズで印刷することができる。
【００７１】
また、各タイプで用いた式（１）、式（３）、式（７）、および式（９）の用紙厚Ｔ０および補正量を印刷用紙の種類またはプリンタの劣化状態等によって微調整できる手段を設けてもよい。例えば、予め設定する、または、印刷用紙の種類を検出して自動で設定できるように自動設定部を設けておくことで、さらに正確に用紙長を揃えることができる。
【００７２】
制御部１は、選択された画像データが１枚の印刷用紙に収まるように配置位置を決定し、当該画像データを１枚の印刷用紙に印刷させるため、種々の製本の仕上がりタイプに対応することができる。
【００７３】
なお、本発明は、その発明の範囲内において、実施の形態を適宜、変形、省略することが可能である。
【符号の説明】
【００７４】
１  制御部、２  画像入力部、４  表示選択部、６  サーマルヘッド、８  インクシート駆動部、９  用紙搬送部、１１  センサー、１２  熱転写プリンタ装置。
【図１】
2016215408.tif 000013
【図２】
2016215408.tif 000014
【図３】
2016215408.tif 000015
【図４】
2016215408.tif 000016
【図５】
2016215408.tif 000017
【図６】
2016215408.tif 000018
【図７】
2016215408.tif 000019
【図８】
2016215408.tif 000020
【図９】
2016215408.tif 000021
【図１０】
2016215408.tif 000022
【図１１】
2016215408.tif 000023
【図１２】
2016215408.tif 000024
【図１３】
2016215408.tif 000025
【図１４】
2016215408.tif 000026
【図１５】
2016215408.tif 000027
【図１６】
2016215408.tif 000028
【図１７】
2016215408.tif 000029
【図１８】
2016215408.tif 000030